(57)【要約】【課題】良好な排液性を有し、かつ収容された器具の跳ね出しを確実に防止し得る医療用トレイを提供する。【解決手段】液体に浸漬することを必要とする器具１８０が収容される箱体１１０と、箱体１１０に満された前記液体を排出するための排出口１６２と、前記排出の際、箱体１１０の開放面に位置し、器具１８０の跳ね出しを抑制する蓋体１４０とを有する。【選択図】図１
2011200384.tif 000002
【特許請求の範囲】
【請求項１】
液体に浸漬することを必要とする器具が収容される箱体と、
前記箱体に満された前記液体を排出するための排出口と、
前記排出の際、前記箱体の開放面に位置し、前記器具の跳ね出しを抑制する蓋体と
を有することを特徴とする医療用トレイ。
【請求項２】
前記蓋体は、前記箱体の一辺に、旋回自在に連結されていることを特徴とする請求項１に記載の医療用トレイ。
【請求項３】
前記蓋体は、旋回させて折り返すことにより、前記箱体の底面に位置決め自在であることを特徴とする請求項２に記載の医療用トレイ。
【請求項４】
前記蓋体を前記箱体の底面に着脱自在に固定するための固定手段を有することを特徴とする請求項３に記載の医療用トレイ。
【請求項５】
前記蓋体および前記箱体は、一体成形されていることを特徴とする請求項２〜４のいずれか１項に記載の医療用トレイ。
【請求項６】
前記蓋体を前記箱体の開放面に着脱自在に固定するための固定手段を有することを特徴とする請求項２〜５のいずれか１項に記載の医療用トレイ。
【請求項７】
前記排出口は、前記蓋体のみに配置されていることを特徴とする請求項２〜６に記載の医療用トレイ。
【請求項８】
前記排出口は、前記箱体に連結されている前記一辺の側に配置されていることを特徴とする請求項７に記載の医療用トレイ。
【請求項９】
前記排出口は、複数であり、前記箱体に連結されている前記一辺に沿った略矩形状の領域に配置されていることを特徴とする請求項８に記載の医療用トレイ。
【請求項１０】
前記排出口は、複数であり、前記箱体に連結されている前記一辺のコーナー部に沿った略三角形状の領域に配置されていることを特徴とする請求項８に記載の医療用トレイ。
【発明の詳細な説明】
【技術分野】
【０００１】
本発明は、医療用トレイに関する。
【背景技術】
【０００２】
例えば、カテーテルを用いた診断や治療などの手術は、患者に対する負担が少ないことから、普及が進んでいる。このような手術は、患者の腕や脚等に形成した動脈へ貫通する穿刺孔に、カテーテルを始めとする各種器具を導入して行われるものであり、器具類は、看護師により事前にテーブル上に配置される。
【０００３】
医師のように入念な消毒を行わない看護師は、患者の血液に直接触れ得る医療器具に触ることを許されないため、鉗子類を用いて遠隔的に包装体から器具を取り出すなど、非常に煩雑な作業を行っている。また、多くの器具類を購入準備する用度作業も非常に煩雑なものであった。
【０００４】
そのため、手術の事前準備を容易とすることで医療従事者の負担を軽減する目的で、手術に使用される器具をキット化して収容した医療用トレイが提供されている（例えば、特許文献１参照。）。
【先行技術文献】
【特許文献】
【０００５】
【特許文献１】特開２０００−５１２３１号公報
【発明の概要】
【発明が解決しようとする課題】
【０００６】
このような医療用トレイは、使用直前に液体で満され、収容されている医療器具が浸漬されるため、使用後に医療用トレイを廃棄する際、例えば、傾斜させて液体を排出することが必要な場合がある。
【０００７】
しかしながら、従来の医療用トレイは、傾けた際に、収容されている器具の跳ね出しが生じる虞があった。
【０００８】
本発明は、上記従来技術に伴う課題を解決するためになされたものであり、良好な排液性を有し、かつ収容された器具の跳ね出しを確実に防止し得る医療用トレイを提供することを目的とする。
【課題を解決するための手段】
【０００９】
上記目的を達成するための本発明は、
液体に浸漬することを必要とする器具が収容される箱体と、
前記箱体に満された前記液体を排出するための排出口と、
前記排出の際、前記箱体の開放面に位置し、前記器具の跳ね出しを抑制する蓋体と
を有することを特徴とする医療用トレイである。
【発明の効果】
【００１０】
本発明によれば、医療用トレイの使用後において、箱体に満された液体を、例えば、箱体を傾斜させて排出する際、箱体の開放面に蓋体が位置するため、箱体に収容されている器具の跳ね出しを確実に抑制することが可能である。一方、箱体に満された液体は、排出口を通過して排出されるため、蓋体の存在は、その排出に干渉しない。つまり、良好な排液性を有し、かつ収容された器具の跳ね出しを確実に防止し得る医療用トレイを提供することができる。
【００１１】
また、前記蓋体を前記箱体の一辺に旋回自在に連結する場合、医療用トレイの使用の際、蓋体を旋回させ、医療従事者の作業を妨害しない位置に移動させることにより、蓋体の存在による作業性の低下を抑制することが可能である。
【００１２】
前記蓋体を旋回させて折り返すことにより、前記箱体の底面に位置決め自在である場合、蓋体を箱体の底面に位置決めすることにより、蓋体の存在による作業性の低下を確実に抑制することが可能である。
【００１３】
前記蓋体を前記箱体の底面に着脱自在に固定するための固定手段を有する場合、蓋体を、箱体の底面に確実に位置決めかつ固定することが可能である。
【００１４】
前記蓋体および前記箱体を一体成形する場合、部品点数の削減および組立てコストの低減を図ることが可能である。
【００１５】
前記蓋体を前記箱体の開放面に着脱自在に固定するための固定手段を有する場合、医療用トレイの使用の際、蓋体を箱体の開放面から開放しておくことにより、箱体の開放面を経由した器具のハンドリングを妨害しないため、蓋体の存在による作業性の低下を抑制することが可能である。
【００１６】
前記排出口を前記蓋体のみに配置する場合、排出口の存在による箱体の強度（剛性）に対する影響を抑制することが可能である。
【００１７】
前記排出口を、前記箱体に連結されている前記一辺の側に配置する場合、蓋体の強度（剛性）を確保することが容易である。
【００１８】
前記排出口が、複数であり、前記箱体に連結されている前記一辺に沿った略矩形状の領域に配置される場合、排出口が蓋体の一辺の全長に渡って均等に存在するため、箱体に満された液体を排出するための作業が容易である。
【００１９】
前記排出口が、複数であり、前記箱体に連結されている前記一辺のコーナー部に沿った略三角形状の領域に配置されている場合、排出口が全体として略三角形状となるため、箱体に満された液体を排出する際の液切りが容易となる。
【図面の簡単な説明】
【００２０】
【図１】本発明の実施の形態に係る医療用トレイを説明するための平面図である。
【図２】図１に示される箱体に収容される器具を説明するための平面図である。
【図３】図２に示される器具のプライミングを説明するための平面図である。
【図４】図１に示される蓋体を箱体の底面に位置決めした状態を説明するための側面図である。
【図５】図１に示される蓋体を箱体の開放面に位置決めした状態を説明するための側面図である。
【図６】図１に示される蓋体を箱体の開放面に位置決めした状態を説明するための平面図である。
【図７】図１に示される医療用トレイの使用後における廃液処理を説明するための側面図である。
【図８】図１に示される医療用トレイの使用後における廃液処理を説明するための正面図である。
【図９】図１に示される医療用トレイのトレイ素材を説明するための平面図である。
【図１０】図９に示されるトレイ素材における箱体の組立てを説明するための平面図である。
【図１１】本発明の実施の形態の変形例１を説明するための平面図である。
【図１２】本発明の実施の形態の変形例２を説明するための平面図である。
【図１３】本発明の実施の形態の変形例３を説明するための平面図である。
【図１４】本発明の実施の形態の変形例４を説明するための平面図である。
【図１５】本発明の実施の形態の変形例５を説明するための平面図である。
【発明を実施するための形態】
【００２１】
以下、本発明の実施の形態を、図面を参照しつつ説明する。
【００２２】
図１は、本発明の実施の形態に係る医療用トレイを説明するための平面図、図２は、図１に示される箱体に収容される器具を説明するための平面図、図３は、図２に示される器具のプライミングを説明するための平面図、図４は、図１に示される蓋体を箱体の底面に位置決めした状態を説明するための側面図、図５および図６は、図１に示される蓋体を箱体の開放面に位置決めした状態を説明するための側面図および平面図、図７および図８は、図１に示される医療用トレイの使用後における廃液処理を説明するための側面図および正面図である。
【００２３】
本発明の実施の形態に係る医療用トレイ１００は、図１に示されるように、キット化された器具１８０が収容される箱体１１０および蓋体１４０を有し、手術の事前準備を容易とすることで医療従事者の負担を軽減するために利用される。医療用トレイ１００は、例えば、カバー袋によって覆われて密閉され、滅菌処理されて提供される。カバー袋は、好ましくは、エチレンオキサイドガス滅菌が可能なガス透過性があり、かつ、細菌不透性の不織布と、光透過性のフィルムとからなる。箱体１１０および蓋体１４０は、一体成形されており、部品点数の削減および組立てコストの低減が図られている。
【００２４】
器具１８０は、本実施の形態においては、図２に示されるように、カテーテル１８２，１８４，１８６等の医療用チューブと、チューブ連結具１９０とを含んでいる。カテーテル１８２，１８４，１８６は、使用前に生理食塩水に浸漬することを必要とする器具である。また、カテーテル１８２，１８４，１８６は、図３に示されるように、チューブ連結具１９０やチューブを介して、プライミング液を吸引しているシリンジ１９２に連結され、使用直前にプライミングされる。プライミング液は、例えば、生理食塩水や、ヘパリン加生理食塩水である。なお、箱体１１０は、生理食塩水で満され、カテーテル１８２，１８４，１８６やガイドワイヤ等の器具（医療器具）を浸漬するために使用される。
【００２５】
カテーテル１８２，１８４，１８６は、例えば、血管造影のために使用される。カテーテル１８２は、左心室や大動脈などの広い体積に造影剤を注入して造影するのに適した形状（ピッグテール形状）を有する。カテーテル１８４，１８６は、先端部の形状が異なる以外は、カテーテル１８２と略同一の構造を備えており、カテーテル１８４は、心臓の右冠状動脈を造影するのに適した形状（ジャドキンス右（ＪＲ）形状）を有し、カテーテル１８６は、心臓の左冠状動脈を造影するのに適した形状（ジャドキンス左（ＪＬ）形状）を有する。カテーテル本体の先端が湾曲形状を有するのは、例えば、血管導入時に血管の分岐部において選択性を高める目的や、Ｘ線透視下で血管のＸ線像を得るための血管造影剤を効率的に分布させる目的のためである。
【００２６】
なお、医療用チューブには、血管造影カテーテル、ガイディングカテーテル、イントロデューサシース、ダイレータ、ガイドワイヤ用ホルダーチューブが含まれる。
【００２７】
また、キット化される器具（医療器具）として、イメージングインテンシファイア（ｉｍａｇｉｎｇ  ｉｎｔｅｎｓｉｆｉｅｒ）上に敷く使い捨てのドレープ、患者に抗血栓薬であるヘパリンを点滴するための針やチューブの集合からなる点滴のためのセットなどの手術前の準備段階に使用する器具、消毒薬などの薬剤、医師の手術衣、消毒薬を塗布するための脱脂綿類等やピンセット、鉗子、はさみ類、手術の開始後に用いる切皮メス、留置針、イントロデューサシースとダイレータ、イントロデューサ用ガイドワイヤ、シリンジ、血管造影カテーテル、血管造影カテーテル用ガイドワイヤ、血管造影剤、マイクロカテーテル等の診断や治療に用いる器具、ＰＴＣＡ（経皮的血管拡張術）用ガイディングカテーテル（心臓右側用形状、左側用形状他）、ＰＴＣＡ用ガイドワイヤ、ＰＴＣＡ用バルーンカテーテル、バルーン拡張用器具（インデフレータ）、ステントデリバリーカテーテル、手術後に用いる止血用デバイス、各種薬剤を一次保管するためのビーカ、カップ類も含まれる。
【００２８】
箱体１１０は、長辺が３０〜４０ｃｍ、短辺が２５〜３５ｃｍの略矩形状であり、収容されている器具が配置される略矩形状の底面１１２と、底面１１２の周囲を取り囲んでいる高さが約５〜１０ｃｍの側壁１１４，１１６，１１８とを有する。側壁１１４は、蓋体１４０が連結される一辺である。側壁１１８は、側壁１１４に相対（対向）している対辺であり、スリット１２２および張り出し部１３２を有する。一対の側壁１１６は、側壁１１４の両端と側壁１１８の両端とを連結しており、スリット１２０および張り出し部１３０を有する。
【００２９】
スリット１２０，１２２は、後述されるタブ１５０，１５２と連携して蓋体１４０を着脱自在に固定するための固定手段である。張り出し部１３０，１３２は、収容されている器具が引っ掛かることにより箱体１１０の外部への跳ね出しを防止するために配置されている。張り出し部１３０，１３２は、必要に応じて省略することも可能である。
【００３０】
蓋体１４０は、側壁１１４に旋回自在に連結されており、天板部１４２および排出口１６２を有する。排出口１６２は、複数の排出口１６２からなる排出口領域１６０であることが好ましい。排出口１６２は、医療用トレイ１００の使用後において、箱体１１０に満された生理食塩水を排出するために使用される。天板部１４２は、箱体１１０の開放面の形状に対応する略矩形状であり、生理食塩水の排出の際、図５に示されるように、箱体１１０の開放面に位置し、収容されている器具の跳ね出しを抑制するために使用される。
【００３１】
つまり、医療用トレイ１００の使用後において、図７および図８に示されるように、箱体１１０を傾斜させて生理食塩水を排出する際、箱体１１０の開放面に蓋体１４０が位置するため、箱体１１０に収容されている器具の跳ね出しを確実に抑制することが可能である。一方、生理食塩水は、排出口１６２を通過して排出されるため、蓋体１４０の存在は、生理食塩水の排出に干渉しない。つまり、良好な排液性を有し、かつ収容された器具の跳ね出しを確実に防止することができる。
【００３２】
排出口１６２は、蓋体１４０のみに配置されているため、排出口１６２の存在による箱体の強度（剛性）に対する影響を抑制することが可能である。また、排出口１６２は、箱体１１０に連結されている一辺の側（側壁１１４）に配置されているため、蓋体１４０の強度（剛性）を確保することが容易である。さらに、排出口１６２は、複数の微小な穴（直径約５ｍｍ）からなり、側壁１１４に沿った略矩形状の排出口領域１６０に配置されている。したがって、排出口１６２が、蓋体１４０の一辺の全長に渡って均等に存在するため、生理食塩水を排出するための作業が容易である。排出口領域１６０は、側壁１１４のサイズと略対応している。
【００３３】
蓋体１４０は、箱体１１０の側壁１１４に旋回自在に連結されているため、医療用トレイ１００の使用の際、図４に示されるように、蓋体１４０を旋回させ、医療従事者の作業を妨害しない位置に移動させることにより、蓋体１４０の存在による作業性の低下を抑制することが可能である。
【００３４】
天板部１４２は、タブ１５０，１５２および両面粘着テープ１７０を有する。タブ１５０，１５２は、箱体１１０のスリット１２０，１２２と連携し、箱体１１０の開放面に天板部１４２を着脱自在に固定するための固定手段である。タブ１５０，１５２と天板部１４２との境界は折り返しとなっており、図５および図６に示されるように、天板部１４２を箱体１１０の開放面に位置決めした際に、タブ１５０，１５２を折り曲げて、箱体１１０のスリット１２０，１２２に挿入（嵌合）できるように設定されている。したがって、医療用トレイ１００の使用の際、蓋体１４０を箱体１１０の開放面から開放しておくことにより、蓋体１４０は、箱体１１０の開放面を経由した器具のハンドリングを妨害しないため、蓋体１４０の存在による作業性の低下を抑制することが可能である。
【００３５】
両面粘着テープ１７０は、蓋体１４０を箱体１１０の底面に着脱自在に固定するための固定手段であり、両面に粘着剤層が配置された基材と、粘着剤層の一方の面に配置される剥離紙とを有し、図１に示されるように、タブ１５２の背面に配置され、剥離紙が配置されていない粘着剤層によってタブ１５２に接着されている。
【００３６】
したがって、医療用トレイ１００の使用の際、図４に示されるように、蓋体１４０を旋回させ、箱体１１０の底面に位置決めし、両面粘着テープ１７０の剥離紙を取り除いて粘着剤層が露出した両面粘着テープ１７０によってタブ１５２を箱体１１０の底面に固定することにより、確実な位置決めおよび固定を達成することが可能である。
【００３７】
蓋体１４０を箱体１１０の底面に着脱自在に固定するための固定手段は、両面粘着テープ１７０を利用する形態に限定されず、例えば、タブとスリットとの嵌合構造を適用することも可能である。
【００３８】
医療用トレイ１００のサイズは、特に限定されず、収容される器具の種類や点数、生理食塩水の貯留性、トレイの廃棄性等を考慮し、適宜設定される。例えば、使用するカテーテル、シース、ガイドワイヤ等の血管内へ導入する器具を、貯留される生理食塩水に浸漬する必要があり、寸法が大きすぎれば、大量の生理食塩水が必要となり、不経済であり、かつ、使用後に廃棄する際に不便となる。
【００３９】
次に、医療用トレイ１００の製造方法を説明する。
【００４０】
図９は、図１に示される医療用トレイのトレイ素材を説明するための平面図、図１０は、図９に示されるトレイ素材における箱体の組立てを説明するための平面図である。
【００４１】
医療用トレイ１００は、箱体部１１０Ａおよび蓋体部１４０Ａを有する平板状のトレイ素材１００Ａから組立てられる。トレイ素材１００Ａの成形方法は、特に限定されず、例えば、シート状の高分子材料を型抜きしたり、成形加工することによって形成することが可能である。高分子材料は、例えば、ＰＰ（ポリプロピレン）や発泡ＰＥ（ポリエチレン）である。なお、蓋体部１４０Ａは、蓋体１４０と同一であるため、その説明は繰返さない。
【００４２】
箱体部１１０Ａは、組立て式であり、箱体１１０の展開図に対応する形状を有し、側壁１１４の端面と側壁１１６の端面とを連結するための一対の連結部１１５と、側壁１１６の端面と側壁１１８の端面とを連結するための一対の連結部１１７とを有する。連結部１１５，１１７は、略矩形であり、組立て用の折り返し１１５Ａ，１１７Ａが形成されている。折り返し１１５Ａ，１１７Ａは、底面１１２の角部（側壁１１４の端面と側壁１１６の端面との接点および側壁１１６の端面と側壁１１８の端面との接点）から対角線上に延長している。また、底面１１２と側壁１１４，１１６，１１８との境界、側壁１１４と蓋体部１４０Ａとの境界、側壁１１６と張り出し部１３０との境界および側壁１１８と張り出し部１３２との境界は、折り返しとなっている。
【００４３】
したがって、側壁１１４，１１６，１１８は、底面１１２との境界で折り返すことにより、底面１１２から直立することになる。張り出し部１３０，１３２は、側壁１１６，１１８との境界で折り返すことにより、側壁１１６，１１８から直角方向に突出することになる。
【００４４】
一方、連結部１１５，１１７は、図１０に示されるように、折り返し１１５Ａ，１１７Ａで折られて二重となり、外方に突出する。したがって、連結部１１５，１１７を側壁１１６に向かって折り曲げ、側壁１１６と当接させ、接合することにより、箱体１１０が形成されることになる。なお、接合方法は、特に限定されず、超音波融着やホットメルトを適用することが可能である。また、蓋体部１４０Ａのうち排出口領域１６０だけを折り返して、張り出し部１３０に当接させ、接合するようにしてもよい。
【００４５】
次に、本発明の実施の形態の変形例を説明する。
【００４６】
図１１〜１３は、本発明の実施の形態の変形例１〜３を説明するための平面図である。
【００４７】
蓋体１４０の排出口領域１６０は、箱体１１０の側壁１１４に沿った略矩形状に限定されず、図１１に示される変形例１のように、箱体１１０の側壁１１４に連結されている一辺（連結辺）１４４のコーナー部１４５に沿った略三角形状とすることも可能である。この場合、蓋体１４０の排出口１６２が全体として略三角形状となるため、生理食塩水を排出する際の液切りが容易となる。排出口領域１６０は、コーナー部１４５の一方のみに配置することも可能である。
【００４８】
排出口１６２は、蓋体１４０のみに配置する形態に限定されず、例えば、図１２に示される変形例２のように、箱体１１０の側壁１１４にも配置することが可能である。この場合、生理食塩水による浸漬に影響を及ぼさない上部の位置に形成することが好ましい。
【００４９】
排出口１６２の形状は、円形状に限定されず、例えば、図１３に示される変形例３のようにスリット状（幅狭の長方形）としたり、長円形状、三角形状など、必要に応じて適宜設定することが可能である。
【００５０】
なお、排出口領域１６０は、箱体１１０の側壁１１４に隣接する側のみに配置する形態に限定されず、例えば、側壁１１４に対して遠位の側（蓋体１４０の連結辺１４４に対して対向する側）にも、排出口領域１６０を配置することが可能である。
【００５１】
図１４は、本発明の実施の形態の変形例４を説明するための平面図である。
【００５２】
蓋体１４０および箱体１１０は、一体として成形する形態に限定されず、別体とすることも可能である。例えば、図１４に示される変形例４のように、別体の蓋体１４０の連結辺１４４に張り出し部１４４Ａを形成し、別体の箱体１１０の側壁１１４に、張り出し部１４４Ａを接合することで、一体化することも可能である。接合方法としては、超音波融着やホットメルトを適用することが可能である。
【００５３】
図１５は、本発明の実施の形態の変形例５を説明するための平面図である。
【００５４】
蓋体１４０を、箱体１１０の開放面に着脱自在に固定するための固定手段は、タブ１５０，１５２とスリット１２０，１２２との嵌合構造を利用する形態に限定されず、例えば、図１５に示される変形例５のように、両面粘着テープ１７２を適用することも可能である。この場合、箱体１１０にスリット１２０，１２２が不要となるため、箱体１１０の構造を簡略化することができる。
【００５５】
以上のように、本実施の形態においては、医療用トレイの使用後において、例えば、箱体を傾斜させて生理食塩水を排出する際、箱体の開放面に蓋体が位置するため、箱体に収容されている器具の跳ね出しを確実に抑制することが可能である。一方、生理食塩水は、排出口を通過して排出されるため、蓋体の存在は、生理食塩水の排出に干渉しない。つまり、良好な排液性を有し、かつ収容された器具の跳ね出しを確実に防止し得る医療用トレイを提供することができる。
【００５６】
本発明は、上述した実施の形態に限定されるものではなく、特許請求の範囲で種々改変することができる。例えば、蓋体の長さを、箱体の開放面の長さより短くし、箱体の開放面の一部（箱体の連結辺の近傍）のみを覆うように構成したり、さらに箱体に非着脱式に固定することも可能である。また、箱体を、平板状のトレイ素材から組立てずに、真空成形、圧空成形、プレス成形等を適応して、箱形状の成形品として直接得ることも可能である。
【符号の説明】
【００５７】
１００  医療用トレイ、
１００Ａ  トレイ素材、
１１０  箱体、
１１０Ａ  箱体部、
１１２  底面、
１１４，１１６，１１８  側壁、
１１５，１１７  連結部、
１２０，１２２  スリット、
１３０，１３２  張り出し部、
１４０  蓋体、
１４０Ａ  蓋体部、
１４２  天板部、
１４４  連結辺、
１４４Ａ  張り出し部、
１４５  コーナー部、
１５０，１５２  タブ、
１６０  排出口領域、
１６２  排出口、
１７０，１７２  両面粘着テープ、
１８０  器具、
１８２，１８４，１８６  カテーテル、
１９０  チューブ連結具、
１９２  シリンジ。
【図１】
2011200384.tif 000003
【図２】
2011200384.tif 000004
【図３】
2011200384.tif 000005
【図４】
2011200384.tif 000006
【図５】
2011200384.tif 000007
【図６】
2011200384.tif 000008
【図７】
2011200384.tif 000009
【図８】
2011200384.tif 000010
【図９】
2011200384.tif 000011
【図１０】
2011200384.tif 000012
【図１１】
2011200384.tif 000013
【図１２】
2011200384.tif 000014
【図１３】
2011200384.tif 000015
【図１４】
2011200384.tif 000016
【図１５】
2011200384.tif 000017